(57)【要約】【課題】  大型で強度のある伸縮支柱を設けた投光器において、移動、収納時にコンパクトにできる投光器を提供することを目的とした。【解決手段】  複数の筒状支柱の断面は、多角形状とし、内側の筒状支柱と外側の筒状支柱との隙間を構成する外側の筒状支柱の断面多角形状の一辺側は、昇降用のワイヤーを内蔵させるスペースを設けるために他の断面多角形状の辺側より大きく構成とした投光器。【選択図】図４
2018142526.tif 000002
【特許請求の範囲】
【請求項１】
中心支柱の上部に備えられた照明装置と、
この中心支柱を基準とし、断面径が異なる複数の筒状支柱を配置し、前記中心支柱及び複数層の前記筒状支柱を互いにスライドさせて伸縮可能とした伸縮支柱と、
この伸縮支柱の伸縮により前記照明装置を昇降させる昇降装置と、
前記照明装置に給電するための電源装置と、
前記伸縮支柱、前記昇降装置、前記電源装置等を載置する基台とからなる投光器において、
複数の前記筒状支柱の断面は、多角形状とし、内側の前記筒状支柱と外側の前記筒状支柱との隙間を構成する外側の前記筒状支柱の断面多角形状の一辺側は、昇降用のワイヤーを内蔵させるスペースを設けるために他の断面多角形状の辺側より隙間を大きく構成としたことを特徴とする投光器。
【請求項２】
内側の前記筒状支柱と外側の前記筒状支柱との隙間で構成する昇降用のワイヤーを内蔵させる複数の前記スペースは、前記筒状支柱の断面多角形状の一辺側に偏らず周囲に配置したことを特徴とする前記請求項１記載の投光器。
【請求項３】
前記複数の前記筒状支柱の断面は、五角形以上とすることを特徴とする前記請求項１乃至２記載の投光器。
【請求項４】
前記複数の前記筒状支柱の断面は、八角形とすることを特徴とする前記請求項１乃至３記載の投光器。
【請求項５】
前記照明装置は、前記中心支柱に支点で支えられたアームを介して、照明面を水平方向に向けて照明するように起立するとともに、収納時は、前記照明面を下方に向けて収納できるように構成されたことを特徴とする前記請求項１乃至４記載の投光器。
【請求項６】
前記中心支柱に支点で支えられた前記アームはＹ字状にし、前記照明面を下方に向けて収納たときに前記投光器の中心部分に設けられたピックアップグリップと重ならないようにしたことを特徴とする前記請求項５記載の投光器。
【発明の詳細な説明】
【発明の詳細な説明】
【技術分野】
【０００１】  本発明は、道路工事、建設工事など屋外で使用される照明装置を備えた投光器であって、特に台車などの基台に設置され、照明装置を支える伸縮支柱を備えた投光器に関する。
【背景技術】
【０００２】  照明装置を備えた投光器は、照明範囲を広範囲にするために出来るだけ高い位置から照明できるように、伸縮支柱を備えたものが使用される。また、長時間証明できるように電源も大型のものが好ましい。近年、ＬＥＤの普及により明るく、長時間証明できるものが可能になってきているが、電源も大型のものが必要になっている。【０００３】  しかしながら、照明装置、電源装置など大型化してくると工事現場に移動する際も、できるだけコンパクトにできるようになることが好ましい。しかも、劣悪な環境下でも耐えられるような強度も求められているが、それらに適したものが得られなかった。【０００４】  例えば、特許文献１に示されるような、蓄電池の充電、保守点検、交換などの作業を容易にした投光装置や、特許文献２に示されるような照明装置が支柱の上部に設置され、伸縮が可能な支柱を備えた投光機が提案されている。【０００５】
【特許文献１】特開２００５−１９０８００号公報
【特許文献２】特開２００５−２０３２３７号公報
【発明の概要】
【発明が解決しようとする課題】
【０００６】  特許文献１に開示されている技術は、電池により大容量の電源を供給できるものの照明装置の出力に合わせた専用電池電源のみである。しかし、長時間の使用に耐えうるためには発電装置を備えた投光器が好まれている。発電装置も設置した場合はそのためコンパクト化の問題は急務となっていた。【０００７】  また、特許文献２に示された投光機は、上述の如く照明装置が支柱の上部に設置され、伸縮が可能な支柱を備えた投光機が提案されているが、同心軸状の円柱状伸縮支柱であるためある程度のコンパクト化が達成できるものの、使用される環境によっては、強度も求められる。
例えば、図１０のように、大型で強度のある断面四角形状の同心筒状支柱４９とした場合は、１辺側に昇降用のワイヤ５０などを収納したようになる。強度が出るものの大型化してしまい、移動用には適していないものになってしまっていた。【０００８】  上述の如く本願発明は、大型で強度のある伸縮支柱を設けた投光器において、移動、収納時にコンパクトになり、投光器の使用時には、支柱の回転もスムーズに行える投光器を提供することを目的としたものである。
【課題を解決するための手段】
【０００９】  上記目的を達成するため、本発明に係る投光器は、以下に記述する構成とした。なお、ここでは、本発明の構成を理解し易くするために、実施例の図面における参照符合を付記して記述する。【００１０】  本発明の投光器１は、図１に示したように、中心支柱２の上部に備えられた照明装置３と、この中心支柱２を基準とし、断面径が異なる複数の筒状支柱４（４ａ、４ｂ、４ｃ、４ｄ）を配置し、前記中心支柱２及び複数層の前記筒状支柱４を互いにスライドさせて伸縮可能とした伸縮支柱５と、この伸縮支柱５の伸縮により前記照明装置３を昇降させる昇降装置６と、前記照明装置３に給電するための電源装置７と、前記照明装置３、前記伸縮支柱５、前記昇降装置６、前記電源装置７等を載置する基台（台車）８とからなる投光器１において、複数の前記筒状支柱４の断面は、多角形状とし（例えば八角形）、例えば、図４に示されるように内側の前記筒状支柱４と外側の前記筒状支柱４との隙間を構成する外側の前記筒状支柱の断面多角形状の一辺側は、昇降用のワイヤ１５、１６、１７、１８を内蔵させるスペース１４を設けるために他の断面多角形状の辺側より隙間を大きく構成としたものである。【００１１】  請求項２として、内側の前記筒状支柱４と外側の前記筒状支柱４との隙間で構成する昇降用のワイヤ１５、１６、１７、１８を内蔵させる複数の前記スペース１４は、前記筒状支柱４の断面多角形状の一辺側に偏らず周囲に配置し、中心支柱２がほぼ中心に位置するようにした。【００１２】  また、請求項３として、前記複数の前記筒状支柱４の断面は、五角形以上とすることで断面四角形状の筒状支柱４より、内側の筒状支柱４と外側の筒状支柱４間のスペース１４でと相互に揺れる問題を解消した。【００１３】  請求項４では、複数の前記筒状支柱４の断面は、八角形とすることで、より安定して前記スペース１４を周囲に均一に配置させることができ回転面積も小さくすることができる。【００１４】  請求項５において、照明装置３は、前記中心支柱２に支点で支えられたアーム３１を介して、照明面を水平方向に向けて照明するように起立するとともに、収納時は、前記照明面を下方に向けて収納できるようにした。【００１５】  さらに請求項６では、前記中心支柱２に支点で支えられた前記アーム３１はＹ字状にし、前記照明面を下方に向けて収納したときに前記投光器１の中心部分に設けられたピックアップグリップ９と重ならないようにしたものである。
【発明の効果】
【００１６】    本発明は、大型で強度のある伸縮支柱５を設けた投光器１において、移動、収納時にコンパクトになり、投光器１の使用時には、支柱の回転もスムーズに行えるものを提供することができ、劣悪な環境下でも、またどこへでも移動が容易になり産業上きわめて有益なものとなりインフラ構築が容易となる。
【図面の簡単な説明】
【００１７】
【図１】本発明の最適な実施例を示す投光器を示す側面説明図。
【図２】本発明の図１の投光器の正面説明図。
【図３】本発明の昇降装置のワイヤと伸縮支柱の説明図。
【図４】本発明の伸縮支柱の断面説明図。
【図５】本発明の投光器に設けた照明装置の起立状態と収納状態の側面説明図。
【図６】本発明の投光器の筒状支柱の伸縮状態説明図。
【図７】本発明の投光器におけるワイヤ切断時の安全装置説明図。
【図８】本発明の投光器におけるワイヤ切断時の安全装置斜視説明図。
【図９】本発明の他の実施例を示す伸縮支柱の断面説明図。
【図１０】従来技術を示す伸縮支柱の断面説明図。
【発明を実施するための形態】
【００１８】  投光器１における照明装置３は、ＬＥＤ照明装置が採用されている。電源としては、発電用のエンジン、オルタネーター、燃料タンク、バッテリなどから構成される電源装置７が基台８に搭載される。燃料タンクは最下部に設置されて、筐体内で燃料がこぼれても筐体の下側が皿の役目も兼ねており、筐体内で受け止められるようになっている。こぼれた燃料は、筐体底部に排出用のコックが設けられているので清掃の際は、このコックで開栓すれば簡単に排出できる。
【００１９】  また、この基台８に中心支柱２、四層の筒状支柱４（４ａ、４ｂ、４ｃ、４ｄ）からなる伸縮支柱５が水平方向に３５９度回転可能に設置されている。昇降装置６は、図示のものは手動ウインチで巻き取りドラム１９を回転させてワイヤ１５を巻き取ると滑車１０が内側の筒状支柱４ｂを引き上げ、他の筒状支柱４（４ｃ、４ｄ）及び中心支柱２も同時に上昇させるようになっており、５段マストで７ｍまで上昇できるようになっている（図６参照）。実施例では、手動のものを記載したが、駆動モータを付加して電動でドラム１９を回転させることもできる。
【００２０】  前記昇降装置６により、中心支柱２、四層の筒状支柱４（４ａ、４ｂ、４ｃ、４ｄ）からなる伸縮支柱５がどのように伸縮するのかワイヤの状態を示した図３で説明する。昇降装置６のワイヤ１５が巻き取られると、滑車１０により筒状支柱４ｂが引き上げられ、それと同時にワイヤ１６が滑車１１を介して筒状支柱４ｃを、ワイヤ１７が滑車１２を介して筒状支柱４ｄを、ワイヤ１８が滑車１３を介して中心支柱３を、それぞれ引き上げられるようになってそれぞれの支柱（２、４ａ、４ｂ、４ｃ、４ｄ）が同時にスライドして伸縮できるようになっている。
【００２１】  また、図７、図８に示されるように昇降装置６には、滑車１０のを支える爪４５が設けられ、万が一ワイヤ１５が切断されたとき、筒状支柱４ｂに縦に複数設けられた時点で近くの溝４２に入り込み伸縮支柱の収縮を瞬時に止めるストッパ機構が設けられている。
【００２２】  図５、図６に示されるように、照明装置３は、中心支柱２に支点３２で支えられたアーム３１を介して、照明面を水平方向に向けて照明するように起立するとともに、収納時は、前記照明面を下方に向けて収納できるようになっている。
【００２３】  前記中心支柱２に支点で支えられたアーム３１は図６に示されるようにＹ字状（図２参照）にし、照明面を下方に向けて収納したときに投光器１の中心部分に設けられたピックアップグリップ９と重ならないようにしたものである。このピックアップグリップは、図１中筐体の中央部を吊り下げてクレーンなどで、移送用のトレーラなどに載せたり降ろしたりするもので、中心支柱２に支点で支えられたアーム３１はＹ字状にし、照明面を下方に向けて収納したときに前記投光器１の中心部分に設けられたピックアップグリップ９と重ならないようにしたものである。
【符号の説明】
【００３２】  １…投光器
２…中心支柱
３…照明装置
４…筒状支柱
５…伸縮支柱
６…昇降装置
７…電源装置
８…基台（台車）
９…ピックアップグリップ
１０、１１、１２、１３…滑車
１５、１６、１７、１８…ワイヤ
２０、２１、２２、２３、２４、２５、２６…ワイヤ固定部
２７、２８、２９、３０…ワイヤ収納スペース
３１…アーム
３２…アーム支軸
４１…ストッパ機構
４２…溝
４３…スプリング
４４…支軸
４５…爪
４６…筒状支柱
４７…ワイヤ収納スペース
【図１】
2018142526.tif 000003
【図２】
2018142526.tif 000004
【図３】
2018142526.tif 000005
【図４】
2018142526.tif 000006
【図５】
2018142526.tif 000007
【図６】
2018142526.tif 000008
【図７】
2018142526.tif 000009
【図８】
2018142526.tif 000010
【図９】
2018142526.tif 000011
【図１０】
2018142526.tif 000012